(57)【要約】      （修正有）【課題】洗浄水タンクが長手方向に沿って傾いていても、正確に水位を検出することができ、安定した便器本体への洗浄水の供給を行うことができる洗浄水タンク装置及びそれを備えた水洗大便器を提供する。【解決手段】便器本体２を洗浄する洗浄水を貯水する洗浄水タンク２０と、洗浄水タンク２０内に洗浄水を給水する給水装置２４と、洗浄水タンク２０内の洗浄水を便器本体２に排水する排水装置２６と、洗浄水タンク２０内の上方に設けられ給水装置２４により洗浄水タンク２０内に給水される洗浄水の止水水位を検出するフロートスイッチ２８と、を備え、洗浄水タンク２０は、その高さがその底面部の長手方向の長さより短い扁平形タンクであり、フロートスイッチ２８は、洗浄水タンク２０の長手方向のほぼ中央領域に設けた。【選択図】図６
2011196060.tif 000002
【特許請求の範囲】
【請求項１】
便器本体を洗浄する洗浄水を貯水する洗浄水タンクと、
上記洗浄水タンク内に洗浄水を給水する給水装置と、
上記洗浄水タンク内の洗浄水を上記便器本体に排水する排水装置と、
上記洗浄水タンク内の上方に設けられ上記給水装置により上記洗浄水タンク内に給水される洗浄水の止水水位を検出する水位検出手段と、を備え、
上記洗浄水タンクは、その高さがその底面部の長手方向の長さより短い扁平形タンクであり、
上記水位検出手段は、洗浄水タンク底面部の長手方向のほぼ中央領域に設けられていることを特徴とする洗浄水タンク装置。
【請求項２】
上記洗浄水タンクの長手方向のほぼ中央領域は、上記水位検出手段により検出された上記洗浄水タンクの洗浄水の貯水量が予め定められた洗浄水の貯水量に比して上記洗浄水タンクの底面部の長手方向に沿った上下方向の１度の傾きに対して±１００ミリリットルの洗浄水の貯水量の誤差範囲内に収まるような領域である請求項１に記載の洗浄水タンク装置。
【請求項３】
上記水位検出手段は、フロートスイッチである請求項１又は請求項２記載の洗浄水タンク装置。
【請求項４】
上記水位検出手段が、貯水タンクの底面部の長手方向に沿った一方の壁の近傍に設けられ、上記給水装置は、その吐水口が上記洗浄水タンクの上記一方の壁に対向する他方の壁を指向するように設けられている請求項１乃至３の何れか１項に記載の洗浄水タンク装置。
【請求項５】
上記排水装置の排水口は、上記洗浄水タンクの底面部のほぼ中央領域に形成され、上記洗浄水タンク内の底面部が、その底面部の短手方向に沿って、洗浄水タンクの底面部の長手方向に沿って設けられた壁から上記排水装置の排水口に向かって下方に傾斜するように形成され、上記水位検出手段は洗浄タンクの底面部の短手方向に沿った上記底面部の高い方の領域の上方に設けられている請求項１乃至４の何れか１項に記載の洗浄水タンク装置。
【請求項６】
請求項１乃至５の何れか１項に記載の洗浄水タンク装置を備えた水洗大便器。
【発明の詳細な説明】
【技術分野】
【０００１】
本発明は、洗浄水タンク装置、及び、それを備えた水洗大便器に関する。
【背景技術】
【０００２】
例えば、特許文献１に記載されているように、従来から、便器を洗浄するために洗浄水タンクに貯水する洗浄水の止水水位をフロートスイッチにより検出するようにした洗浄水タンク装置が知られている。
また、近年、ローシルエットの便器がデザイン性向上の要望に答えるために採用されるようになり、そのため、洗浄水タンクの高さを低くしなければならず、高さを低くした分洗浄水タンクの洗浄水容量を確保するため、洗浄水タンク平面を広く、例えば、底面の幅方向の長さを長くする必要があった。
【先行技術文献】
【特許文献】
【０００３】
【特許文献１】特開２００９−２０７５号公報
【発明の概要】
【発明が解決しようとする課題】
【０００４】
ここで、便器本体が陶器製の場合には製造誤差があり、この陶器製便器本体の製造誤差や、陶器製ではない便器本体における他の誤差により、洗浄水タンクが取り付けられる便器本体の上面が微少角度だけ上下方向に傾き、洗浄水タンクが傾いて取り付けられることがあった。しかしながら、洗浄水タンクが上下方向に傾いて取り付けられると、フロートスイッチが、製品として予め定められた止水水位を正確に検出することができず、それゆえ、この予め定められた止水水位まで洗浄水を貯水することができないという問題があった。
【０００５】
特に、近年要望されている洗浄水量が少ない節水型の便器においては、フロートスイッチが正確に止水水位を検出できないことに起因する洗浄水量の減少が洗浄性能低下にかなりの影響を与えることになる。さらに、高さを低くして幅方向を長くした偏平形状の洗浄水タンクの場合には、洗浄水タンクの長手方向に沿った上下方向のわずかな傾きにより、フロートスイッチが正確に止水水位を検知することができなくなり、それにより、洗浄水の貯水量が相当量変化するので、問題である。
【０００６】
従って、本発明は、上述した従来技術の問題点を解決するためになされたものであり、洗浄水タンクがその底面部の長手方向に沿って上下方向に傾いていても、製品として予め定められた所定の水位を正確に検出することができ、安定した便器本体への洗浄水の供給を行うことができる洗浄水タンク装置、及び、それを備えた水洗大便器を提供することを目的としている。
【課題を解決するための手段】
【０００７】
上記の目的を達成するために、本発明は、便器本体を洗浄する洗浄水を貯水する洗浄水タンクと、洗浄水タンク内に洗浄水を給水する給水装置と、洗浄水タンク内の洗浄水を便器本体に排水する排水装置と、洗浄水タンク内の上方に設けられ給水手段により洗浄水タンク内に給水される洗浄水の止水水位を検出する水位検出手段と、を備え、洗浄水タンクは、その高さがその底面部の長手方向の長さより短い扁平形タンクであり、水位検出手段は、洗浄水タンクの底面部の長手方向のほぼ中央領域に設けられていることを特徴としている。
このように構成された本発明においては、給水手段により洗浄水タンク内に給水される洗浄水の止水水位を水位検出手段により検出する際、便器本体の陶器誤差等により洗浄水タンクが洗浄水タンクの底面部の長手方向に対して上下方向に傾いていても、水位検出手段が洗浄水タンクの底面部の長手方向のほぼ中央領域に設けられているので、予め定められた止水水位と水位検出手段により検出された止水水位との差が小さくなり、正確に止水水位を検出することができる。その結果、洗浄水タンク内に給水される洗浄水を確実に予め定められた止水水位に貯水することができ、それにより、安定した便器本体への洗浄水の供給を行うことができる。
【０００８】
本発明において、好ましくは、洗浄水タンクの長手方向のほぼ中央領域は、水位検出手段により検出された洗浄水タンクの洗浄水の貯水量が予め定められた洗浄水の貯水量に比して洗浄水タンクの底面部の長手方向に沿った上下方向の１度の傾きに対して±１００ミリリットルの洗浄水の貯水量の誤差範囲内に収まるような領域であることを特徴としている。
このように構成された本発明においては、水位検出手段が、水位検出手段により検出される洗浄水タンクの洗浄水の貯水量が予め定められた洗浄水の貯水量に比して、洗浄水タンクの底面部の長手方向に沿った上下方向の１度の傾きに対して±１００ミリリットルの洗浄水の貯水量の差異内に収まるような領域に設けられているので、±１００ミリリットルの洗浄水の貯水量の誤差範囲内でほぼ正確に止水水位を検出することができる。よって、洗浄水タンク内に給水される洗浄水をより確実に予め定められた止水水位まで貯水することができ、安定した便器本体への洗浄水の供給を行うことができる。
【０００９】
本発明において、好ましくは、水位検出手段はフロートスイッチであることを特徴としている。
このように構成された本発明においては、水位検出手段としてフロートスイッチを使用しているので、低コストで正確に洗浄水の止水水位を検出することができる。よって、低コストで洗浄水タンク内に給水される洗浄水を確実に予め定められた止水水位まで貯水することができ、安定した便器本体への洗浄水の給水を行うことができる。
【００１０】
本発明において、好ましくは、水位検出手段が、貯水タンクの底面部の長手方向に沿った一方の壁の近傍に設けられ、給水装置は、その吐水口が洗浄水タンクの一方の壁に対向する他方の壁を指向するように設けられていることを特徴としている。
このように構成された本発明においては、給水装置の吐水口から、洗浄水タンクの底面部の長手方向に沿った壁の水位検出手段が設けられた一方の壁に対向する他方の壁を指向して吐水を行うので、フロートスイッチ周辺の水位が乱れることがなく、より正確に止水水位を検出することができる。よって、洗浄水タンク内の洗浄水をより確実に予め定められた止水水位まで貯水することができ、安定した便器本体への洗浄水の供給を行うことができる。
【００１１】
本発明において、好ましくは、排水装置の排水口は、洗浄水タンクの底面のほぼ中央領域に形成され、洗浄水タンク内の底面部が、その短手方向に沿って、洗浄水タンクの底面部の長手方向に沿って設けられた壁から排水装置の排水口に向かって下方に傾斜するように形成され、水位検出手段は洗浄タンクの底面部の短手方向に沿った底面部の高い方の領域の上方に設けられることを特徴としている。
このように構成された本発明においては、水深の比較的浅い所に水位検出手段が設けられているため、止水水位の上下方向に発生する洗浄水の乱れの影響を受けることが少ないので、より正確に止水水位を検出することができる。よって、洗浄水タンク内の洗浄水をより確実に予め定められた止水水位まで貯水することができ、安定した便器本体への洗浄水の供給を行うことができる。
【００１２】
本発明において、好ましくは、請求項１乃至５の何れか１項に記載の洗浄水タンク装置を備えた水洗大便器であることを特徴としている。
このように構成された本発明においては、洗浄水タンク装置から安定した便器本体への洗浄水の供給が行われるので、便器本体での洗浄性能が安定する。
【発明の効果】
【００１３】
本発明の洗浄水タンク装置及びそれを備えた水洗大便器によれば、洗浄水タンクがその底面部の長手方向に沿って上下方向に傾いていても、製品として予め定められた所定の水位を正確に検出することができ、安定した便器本体への洗浄水の供給を行うことができる。
【図面の簡単な説明】
【００１４】
【図１】本発明の実施形態による洗浄水タンク装置を備えた水洗大便器を示す側面断面図である。
【図２】図１に示す水洗大便器から洗浄水タンク装置を取り外した状態の便器本体を示す平面図である。
【図３】図１に示す水洗大便器を示す正面一部断面図である。
【図４】本発明の実施形態による洗浄水タンク装置を示す平面図である。
【図５】図４のＶ−Ｖ線に沿って見た断面図である。
【図６】図４の洗浄水タンク装置を示す正面断面図である。
【図７】本発明の実施形態による洗浄水タンク装置の洗浄水タンクが便器正面から見て上下方向に対して左側に１度傾いた場合における「洗浄水タンク左端からの水位検出手段（フロートスイッチ）の軸心までの距離」と「洗浄水の貯水量の変化」との関係を示す線図である。
【発明を実施するための形態】
【００１５】
以下、添付図面により、本発明の実施形態による洗浄水タンク装置及び水洗大便器を説明する。
まず、図１乃至図３により、本発明の実施形態による洗浄水タンク装置を備えた水洗大便器を説明する。
図１は本発明の実施形態による洗浄水タンク装置を備えた水洗大便器を示す側面断面図であり、図２は図１に示す水洗大便器から洗浄水タンク装置を取り外した状態の便器本体を示す平面図であり、図３は図１に示す水洗大便器を示す正面一部断面図である。
【００１６】
図１乃至図３に示すように、本実施形態による洗い落し式の水洗大便器１は、陶器製の便器本体２を備え、この便器本体２においては、その上部の前方側にボウル部４が形成され、さらに、後方側の上部には導水路６が、導水路６の下方にはボウル部４と連通する排水トラップ管路８が、それぞれ形成されている。なお、水洗大便器１は、洗い落し式の便器以外のサイホン式便器やサイホンジェット式便器等にも、適用可能であり、また、便器本体２は、陶器以外に、樹脂と便器、又は樹脂のみで形成するようにしても良い。
【００１７】
便器本体２のボウル部４の上縁部内側にはオーバーハング形状のリム１０が形成され、さらに、このリム１０の一部には、導水路６から供給される洗浄水を吐水する第１吐水口１２が形成され、第１吐水口１２から吐水された洗浄水は、旋回しながら下降してボウル部４を洗浄するようになっている。
【００１８】
排水トラップ管路８の近傍で且つボウル部４の下方には、一点鎖線で溜水面Ｗ0が示された溜水部１４が形成されている。この溜水部１４の下方には、上述した排水トラップ管路８の入口８ａが開口し、この入口８ａから上昇路８ｂが後方に延びている。この上昇路８ｂには下降路８ｃが連続し、下降路８ｃの下端は排水ソケット（図示せず）を介して床下の排出管（図示せず）に接続されている。
【００１９】
また、ボウル部４の中心下部には溜水面Ｗ0が位置し、この溜水面Ｗ0の上方のボウル部４の側面側には、導水路６から供給される洗浄水を吐水する第２吐水口１６が形成されており、この第２吐水口１６から吐水される洗浄水により、溜水部１４の溜水を上下方向に旋回させるようになっている。
【００２０】
本実施形態による水洗大便器１は、さらに、便器本体２の導水路６の上方に設けられた洗浄水タンク装置１８を備え、この洗浄水タンク装置１８に貯水された洗浄水が便器本体２に供給されるようになっている。この洗浄水タンク装置１８は、洗浄水タンク２０を備え、この洗浄水タンク２０の底部には、上下方向に延びる排水口２２が形成され、この排水口２２の下端は便器本体２の導水路６と連通し、洗浄水タンク２０内の洗浄水が排水口２２から便器本体２の導水路６に供給されるようになっている。
【００２１】
次に、図４乃至図６により、洗浄水タンク装置１８を詳細に説明する。
図４は本発明の実施形態による洗浄水タンク装置を示す平面図であり、図５は図４のＶ−Ｖ線に沿って見た断面図であり、図６は図４の洗浄水タンク装置を示す正面断面図である。
【００２２】
図４乃至図６に示すように、洗浄水タンク装置１８の洗浄水タンク２０内には、洗浄水タンク２０に洗浄水を供給する給水装置２４、便器本体２へ洗浄水を供給する排水装置２６、洗浄水タンク２０内の洗浄水の水位Ｗが止水水位ＷL1となった状態を検知する水位検出手段であるフロートスイッチ２８が設けられ、また、洗浄水タンク２０外には、これらの装置を制御するコントローラ（図示せず）及び、使用者が便器洗浄のために操作する操作ボタン（図示せず）が設けられている。この操作ボタン（図示せず）は、例えば、３種類の洗浄水量による洗浄モードである「大洗浄モード」、「小洗浄モード」、「エコ小洗浄モード」の各操作ボタンを備え、洗浄水量は、例えば、大洗浄モードで４．８リットル、小洗浄モードで４．０リットル、エコ洗浄モードで３．８リットルとなっている。
なお、図５及び図６において、洗浄水タンク２０内の製品として予め定められた止水水位をＷL1で示している。
【００２３】
洗浄水タンク装置１８の洗浄水タンク２０は、その底面部２１の長手方向の長さに比べて高さが低い扁平形状のタンクであり、洗浄水タンク２０の高さが、洗浄水タンク２０の底面部２１の長手方向（便器正面から見た左右幅方向）の長さより短くなっている。洗浄水タンク２０は、４．８リットルの洗浄水量を貯水するために、例えば、洗浄水タンク２０の底面部２１の短手方向と長手方向の長さの比は、短手方向の長さ：長手方向の長さが１：２の比となっており、具体的には、洗浄水タンク２０の底面部２１の短手方向の長さ約１７６ｍｍに対し、底面部２１の長手方向の長さは約３５２ｍｍである。さらに、図５に示すように、洗浄水タンク２０の底面部２１は、短手方向に沿って、洗浄水タンク２０の洗浄水タンク２０の底面部２１の長手方向に沿って設けられた壁２０ａからほぼ中央部に設けられた排水口２２に向かって下方に傾斜している。
なお、洗浄水タンク２０は、他に、３．８リットル乃至６リットルの洗浄水量を貯水するものであってもよい。
【００２４】
給水装置２４は、水道等の給水源に接続された定流量弁３０、給水バルブ３２、及び、給水口３４を備えている。
給水バルブ３２は、フロートスイッチ２８の水位検知情報に基づいてコントローラ（図示せず）からの指令により開閉動作が制御され、給水装置２４の給水口３４から洗浄水タンク２０内への洗浄水の給水又は止水が切り替えられるようになっている。また、図４に示すように、吐水口３４は、洗浄水タンク２０のフロートスイッチ２８が設けられた側の壁２０ａの逆側の壁２０ｂを指向して吐水を行うようになっている。
【００２５】
排水装置２６は、オーバーフロー管３６と、オーバーフロー管３６の下端部に固着された排水弁３８と、オーバーフロー管３６を上下動させることにより排水弁３８を開閉操作する駆動装置４０を備えている。
また、洗浄水タンク２０の排水口２２の周辺部には、排水弁３８の上下動をガイドし且つ高さ位置を規制するガイド部材４２が取り付けられている。
【００２６】
オーバーフロー管３６は、洗浄水タンク２０の排水口２２と対向する下端開口部３６ａから上端開口部３６ｂまで延びる円筒状の管部材である。そして、洗浄水タンク２０内の洗浄水の水位Ｗが、止水水位ＷL1を超えてさらに水位ＷOFまで上昇し、オーバーフロー管３６の上端開口部３６ｂの高さ位置を上回ったときには、洗浄水がオーバーフローし、オーバーフロー管３６の上端開口部３６ｂから下端開口部３６ａを経て洗浄水タンク２０の排水口２２から便器本体２側に供給されるようになっている。
【００２７】
さらに、駆動装置４０は、ＤＣモータであり、この駆動装置４０から延びる回転軸４４の先端には、玉鎖４６が取り付けられている。この玉鎖４６の下方部分は、オーバーフロー管３６の下端開口部３６ａから下方に突出する玉鎖取付部３６ｃに取り付けられている。
駆動装置４０が玉鎖４６を上方に引き上げるように回転軸４４を回転させると、オーバーフロー管３６が玉鎖４６と共に上昇し、駆動装置４０が玉鎖４６を引き下げるように回転軸４４を回転させると、オーバーフロー管３６が玉鎖４６と共に下降するようになっている。
【００２８】
つぎに、図５及び図６により、洗浄水タンク装置１８のフロートスイッチ２８について説明する。洗浄水タンク２０の内部の上方には、フロートスイッチ２８が配置され、このフロートスイッチ２８は、洗浄水タンク２０の頂部よりその軸心部２８ａが下向きになるように取付けられている。フロートスイッチ２８、厳密に言えば、フロートスイッチ２８の軸心部２８ａが、洗浄水タンク２０の底面部２１の長手方向の中央範囲に配置される。例えば、軸心部２８ａが、洗浄水タンク２０の底面部２１の長手方向中心位置から長手方向左右に±２５ｍｍ以内の範囲に配置されるのが好ましい。フロートスイッチ２８の軸心部２８ａは、洗浄水タンク２０の底面部２１の短手方向中央からやや便器正面方向よりに配置されるが、より短手方向中央に近い方が正確に水位を検出するためには好ましい。
さらに、水位センサ２８は、傾斜している洗浄水タンク２０の底面部２１の高い方の領域の上方に配置されている。
【００２９】
次に、上述した本発明の実施形態による洗浄水タンク装置及び水洗大便器の作用（動作）を説明する。
まず、洗浄水タンク２０内には、止水水位ＷL1まで洗浄水が満たされている。この状態で使用者が、便器使用後に、例えば、大洗浄用の操作ボタン（図示せず）を押すと、この操作ボタン（図示せず）からの信号がコントローラ（図示せず）に送信され、駆動装置４０が駆動する。そして、回転軸４４が回転し、回転軸４４の先端に取り付けられている玉鎖４６が上方へ引き上げられ、オーバーフロー管３６及び排水弁３８が一体的に上昇し、排水口２２（排水口シール部４８）が開放され、洗浄水タンク２０内の洗浄水が排水口２２から便器本体２の導水路６に供給される。
【００３０】
便器本体２に洗浄水が供給されると、それに伴い、洗浄水タンク２０内の水位がフロートスイッチ２８より低下し、それにより、フロートスイッチ２８がＯＮからＯＦＦに変わる。その後、所定時間経過後、給水バルブ３２を開いて、洗浄水タンク２０への給水が開始される。洗浄水タンク２０内の水位が止水水位ＷL1に達すると、フロートスイッチ２８がＯＮとなり、コントローラ（図示せず）はこれを検知して、給水バルブ３２を閉鎖されると共に給水バルブ３２も閉じられ、一連の洗浄動作が終了する。
【００３１】
次に、洗浄水タンク２０が、便器本体１の陶器誤差や他の誤差等により、便器本体１へ傾いて取り付けられた場合について説明する。洗浄水タンク装置１８は、便器本体２上部に取付基板等（図示せず）を介して配置される。便器本体２は陶器で作られるので、便器本体２上部に陶器誤差を生じる場合がある。この陶器誤差や他の誤差等の理由により便器本体２上部が水平でない場合、洗浄水タンク装置１８は、便器本体１へ上下方向に傾いて取り付けられることになる。
【００３２】
図６には、洗浄水タンク装置１８が洗浄水タンク２０の長手方向に沿って傾いている場合の止水水位ＷL2が示されている。
このように、洗浄水タンク２０が上下方向に傾いて設置されている場合には、フロートスイッチ２８を洗浄水タンク２０の長手方向の両端に近い位置に取り付けた場合には、洗浄水量を、実際の水量よりも、少なく（又は多く）検知してしまうという問題が発生する。
【００３３】
このため、本発明者らは、洗浄水タンクが便器正面から見て上下方向に対して左側に１度だけ下方に傾いた場合において、「洗浄水タンク左端からのフロートスイッチの軸心までの距離」と「洗浄水の貯水量の変化量」との関係を実験的に求め、予め設定された所望の洗浄水の貯水量を貯水することができる、特定のフロートスイッチの配置範囲を見出すことができた。図７は、本発明の実施形態による洗浄水タンク装置の洗浄水タンクが便器正面から見て上下方向に対して左側に１度傾いた場合における「洗浄水タンク左端からの水位検出手段（フロートスイッチ）の軸心までの距離」と「洗浄水の貯水量の変化」との関係を示す線図である。
【００３４】
この図７から明らかなように、フロートスイッチ２８の軸心を洗浄水タンク２０の長手方向中心に配置した場合は、洗浄水の貯水量の変化は０ミリリットルである。これに対し、フロートスイッチ２８の軸心を洗浄水タンク２０の長手方向両端付近に配置した場合は、洗浄水の貯水量の変化量は約±１０００ミリリットル（＝１リットル）に達する。このような洗浄水の変化が生じると、節水型の水洗大便器においては、洗浄水量が４．８リットル又は３．８リットルと少ないので、所望の洗浄水の貯水量を供給することができないばかりか、十分な洗浄ができない状況となる。
【００３５】
図７から明らかなように、フロートスイッチ２８の軸心を洗浄水タンク２０の長手方向中心部からおよそ±２５ｍｍ以内の範囲に配置した場合は、洗浄水の貯水量の変化は±１００ミリリットル以内であるので、洗浄に必要な所定の洗浄水の貯水量を安定して得ることができる。
【００３６】
上述した本発明の実施形態による洗浄水タンク装置１８によれば、給水装置２４により洗浄水タンク２０内に給水される洗浄水の止水水位をフロートスイッチ２８により検出する際、便器本体の陶器誤差等により洗浄水タンク２０が洗浄水タンク２０の底面部２１の長手方向に対して傾いていても、フロートスイッチ２８の軸心部２８ａが洗浄水タンク２０の底面部２１の長手方向のほぼ中央領域に設けられているので、予め定められた止水水位とフロートスイッチ２８により検出された止水水位との差が小さくなり、正確に止水水位を検出することができる。その結果、洗浄水タンク２０内に給水される洗浄水を確実に予め定められた止水水位に貯水することができ、それにより、安定した便器本体２への洗浄水の供給を行うことができる。
【００３７】
本発明の実施形態による洗浄水タンク装置１８によれば、フロートスイッチ２８が、フロートスイッチ２８により検出される洗浄水タンク２０の洗浄水の貯水量が予め定められた洗浄水の貯水量に比して、洗浄水タンク２０の底面部２０の長手方向に沿った上下方向の１度の傾きに対して±１００ミリリットルの洗浄水タンク２０の洗浄水の貯水量の差異内に収まるような領域に設けられているので、±１００ミリリットルの洗浄水の貯水量の誤差範囲内でほぼ正確に止水水位を検出することができる。よって、洗浄水タンク２０内に給水される洗浄水を止水水位まで貯水することができ、安定した便器本体２への洗浄水の供給を行うことができる。
【００３８】
本発明の実施形態による洗浄水タンク装置１８によれば、水位検出手段としてフロートスイッチ２８を使用しているので、低コストで正確に洗浄水の止水水位を検出することができる。よって、低コストで洗浄水タンク２０内に給水される洗浄水を止水水位まで貯水することができ、安定した便器本体への洗浄水の給水を行うことができる。
【００３９】
本発明の実施形態による洗浄水タンク装置１８によれば、給水装置２４の給水口３４（吐水口）から、洗浄水タンク２０の底面部２１の長手方向に沿った壁のフロートスイッチ２８が設けられた一方の壁２０aに対向する他方の壁２０bを指向して吐水を行うので、フロートスイッチ２８周辺の水位が乱れることがなく、より正確に止水水位を検出することができる。よって、洗浄水タンク２０内に給水される洗浄水を止水水位まで貯水することができ、安定した便器本体への洗浄水の供給を行うことができる。
【００４０】
本発明の実施形態による洗浄水タンク装置１８によれば、排水装置２６の排水口２２は、洗浄水タンク２０の底面部２１のほぼ中央領域に形成され、洗浄水タンク２０内の底面部２１は、底面部２１の短手方向に沿って、底面部２１の長手方向に沿って設けられた壁から排水装置２６の排水口２２に向かって下方に傾斜するように形成され、フロートスイッチ２８は洗浄タンク２０の底面部２１の短手方向に沿った底面部２１の高い方の領域の上方に設けられている。従って、水深の比較的浅い所にフロートスイッチ２８が設けられているため、止水水位の上下方向に発生する乱れの影響を受けることが少ないので、より正確に止水水位を検出することができる。よって、洗浄水タンク２０内の洗浄水を止水水位まで貯水することができ、安定した便器本体２への洗浄水の供給を行うことができる。
【００４１】
本発明の実施形態による洗浄水タンク装置１８によれば、洗浄水タンク装置１８から安定した便器本体２への洗浄水の供給が行われるので、便器本体２での洗浄性能が安定する。
【符号の説明】
【００４２】
１    水洗大便器
２    便器本体
４    ボウル部
１２    第１吐水口
１４    溜水部
１６    第２吐水口
１８    洗浄水タンク装置
２０    洗浄水タンク
２０ａ，２０ｂ  壁
２１    底面部
２２    排水口
２４    給水装置
２６    排水装置
２８    フロートスイッチ
２８ａ  軸心部
３０    定流量弁
３２    給水バルブ
３４    給水口
３６    オーバーフロー管  
３８    排水弁
４０    駆動装置
４２    ガイド部材
４４    回転軸
４６    玉鎖
【図１】
2011196060.tif 000003
【図２】
2011196060.tif 000004
【図３】
2011196060.tif 000005
【図４】
2011196060.tif 000006
【図５】
2011196060.tif 000007
【図６】
2011196060.tif 000008
【図７】
2011196060.tif 000009